(57)【要約】      （修正有）【課題】かまどの炎のような美味しいイメージが照明によって演出され、ふっくらと美味しいご飯の炊けることが使用者に想起される新たな訴求方法が創出される炊飯器を提供する。【解決手段】炊飯器１は、内部に中空部が形成された本体２と、本体の中空部に着脱自在に収納され、内部に被加熱物を収容する内釜と、内釜を加熱する加熱手段と、本体の下方を照明する照明手段６と、を備える。照明手段６が本体２の正面を基準に本体２の外周に沿った本体２の下方の領域にかまどの炎により近い光を照明する。【選択図】図５
2020031965.tif 000002
【特許請求の範囲】
【請求項１】
内部に中空部が形成された本体と、
前記本体の前記中空部に着脱自在に収納され、内部に被加熱物を収容する内釜と、
前記内釜を加熱する加熱手段と、
前記本体の下方を照明する照明手段と、
を備える炊飯器。
【請求項２】
前記照明手段は、前記本体の外周に沿った前記本体の下方の領域を照明する請求項１に記載の炊飯器。
【請求項３】
前記照明手段は、前記本体の正面を基準に前記本体の外周に沿った前記本体の下方の領域を照明する請求項２に記載の炊飯器。
【請求項４】
前記照明手段は、予め定められた条件に従って前記本体の下方を照明する請求項１〜請求項３のいずれか１項に記載の炊飯器。
【請求項５】
前記予め定められた条件は、炊飯モード、保温モード又は予約モードのモード毎に発光色を変更することである請求項４に記載の炊飯器。
【請求項６】
前記予め定められた条件は、炊飯モード、保温モード又は予約モードのモード毎に発光パターンを変更することである請求項４又は請求項５に記載の炊飯器。
【請求項７】
前記予め定められた条件は、前記炊飯モードにおける予熱工程、炊飯工程又はむらし工程の工程順の遷移に従って、発光色あるいは発光パターンを変更することである請求項５又は請求項６に記載の炊飯器。
【請求項８】
前記照明手段の発光色は、少なくとも波長５９０〜７８０ｎｍの範囲を含む請求項１〜請求項７のいずれか１項に記載の炊飯器。
【請求項９】
炊飯に関する情報を表示する表示手段を備え、
前記照明手段が点灯する際に、前記表示手段の照度を低減又は消灯する請求項１〜請求項８のいずれか１項に記載の炊飯器。
【請求項１０】
前記照明手段が照明する照明範囲は、前記本体の平面投影形状を基準に前記本体から離れる方向に所定の範囲内である請求項１〜請求項９のいずれか１項に記載の炊飯器。
【請求項１１】
前記所定の範囲は、前記本体の平面投影形状を基準に前記本体から離れる方向に５０ｍｍである請求項１０に記載の炊飯器。
【請求項１２】
前記照明手段が照明する照度は、変更自在である請求項１〜請求項１１のいずれか１項に記載の炊飯器。
【請求項１３】
前記本体の周囲の明るさを検出する照度センサを備え、
前記照明手段が照明する照度は、前記照度センサの検出する前記本体の周囲の明るさに応じて変更される請求項１２に記載の炊飯器。
【請求項１４】
前記照明手段は、複数設けられ、且つ、個別に制御自在であり、
複数の前記照明手段は、複数の前記照明手段のうちいずれを制御するか任意に選択自在である請求項１〜請求項１３のいずれか１項に記載の炊飯器。
【請求項１５】
複数の前記照明手段は、間隔を空けて配置され、前記本体の外周を全体にわたって前記本体の外周に沿った前記本体の下方の領域を照明する請求項１４に記載の炊飯器。
【請求項１６】
炊飯に関する情報を入力する入力手段を備え、
前記照明手段は、前記入力手段の入力に応じて制御される請求項１〜請求項１５のいずれか１項に記載の炊飯器。
【請求項１７】
前記本体と組み合わせて供給され、前記本体と前記本体が載置される載置面との間に敷く敷部材を備え、
前記敷部材における前記本体の載置される表面の材料は、光の反射を抑制した材料で構成される請求項１〜請求項１６のいずれか１項に記載の炊飯器。
【請求項１８】
前記本体と組み合わせて供給され、前記本体と前記本体が載置される載置面との間に敷く敷部材を備え、
前記敷部材における前記本体の載置される表裏面の材料は、一方の面が光の反射を抑制した材料で構成され、他方の面が光を反射する材料で構成される請求項１〜請求項１６のいずれか１項に記載の炊飯器。
【発明の詳細な説明】
【技術分野】
【０００１】
本発明は、本体と内釜と加熱手段とを備える炊飯器に関する。
【背景技術】
【０００２】
従来の炊飯器では、米と水とを入れた内釜を炊飯器の本体内に収納し、炊飯開始が指示される。その指示後に、炊飯器は、加熱手段によって内釜を加熱する炊飯工程を経て、保温工程に移行する。保温工程では、設定された保温温度を維持するように加熱手段が制御され、ご飯の温度が一定に保たれる。その際、入力手段又は表示手段には、ＬＥＤなどによって動作状態などを表す表示が行われる。その表示を行う表示手段は、入力手段のキー近傍に配置され、キーの機能動作の状態を示すにとどまる。つまり、表示は、操作する使用者が意識的に視認して確認できる程度のものであった（たとえば、特許文献１参照）。
【先行技術文献】
【特許文献】
【０００３】
【特許文献１】特許第４０１５９３２号公報
【発明の概要】
【発明が解決しようとする課題】
【０００４】
従来の炊飯器では、美味しいご飯の炊けることの訴求が、炊飯器の本体の形状あるいは色、内釜の材質又は形状などによって行われることが一般的であった。しかし何ら、炊飯器の本体から光を本体の周囲に照明して演出する手段は、備えていなかった。
【０００５】
本発明は、かまどの炎のような美味しいイメージが照明によって演出され、ふっくらと美味しいご飯の炊けることが使用者に想起される新たな訴求方法が創出される炊飯器を提供することを目的とする。
【課題を解決するための手段】
【０００６】
本発明に係る炊飯器は、内部に中空部が形成された本体と、前記本体の前記中空部に着脱自在に収納され、内部に被加熱物を収容する内釜と、前記内釜を加熱する加熱手段と、前記本体の下方を照明する照明手段と、を備えるものである。
【発明の効果】
【０００７】
本発明に係る炊飯器によれば、炊飯器は、本体の下方を照明する照明手段を備える。これにより、本体の下方にかまどの炎のような光を照明できる。したがって、かまどの炎のような美味しいイメージが照明によって演出され、ふっくらと美味しいご飯の炊けることが使用者に想起される新たな訴求方法が創出される。
【図面の簡単な説明】
【０００８】
【図１】本発明の実施の形態１に係る炊飯器を示す斜視図である。
【図２】本発明の実施の形態１に係る炊飯器を示す縦断面図である。
【図３】本発明の実施の形態１に係る炊飯器のハードウェア構成を示す図である。
【図４】本発明の実施の形態１に係る制御手段を示すブロック図である。
【図５】本発明の実施の形態１に係る炊飯器の照明動作を示す斜視図である。
【図６】本発明の実施の形態２に係る炊飯器の照明動作を示すパターン図である。
【図７】本発明の実施の形態２に係る炊飯器の照明動作を示すパターン図である。
【図８】本発明の実施の形態２に係る炊飯器の照明動作を示すパターン図である。
【図９】本発明の実施の形態３に係る炊飯器の照明動作を示す平面投影図である。
【図１０】本発明の実施の形態４に係る炊飯器の照明動作を示すパターン図である。
【図１１】本発明の実施の形態５に係る炊飯器のハードウェア構成を示す図である。
【図１２】本発明の実施の形態５に係る炊飯器の照明動作を示すフローチャートである。
【図１３】本発明の実施の形態６に係る炊飯器の照明動作を示す平面投影図である。
【図１４】本発明の実施の形態７に係る炊飯器の照明動作を示すフローチャートである。
【図１５】本発明の実施の形態８に係る炊飯器の照明動作を示す斜視図である。
【発明を実施するための形態】
【０００９】
以下、図面に基づいて本発明の実施の形態について説明する。なお、各図において、同一の符号を付したものは、同一の又はこれに相当するものであり、これは明細書の全文において共通している。また、断面図の図面においては、視認性に鑑みて適宜ハッチングを省略している。さらに、明細書全文に示す構成要素の形態は、あくまで例示であってこれらの記載に限定されるものではない。
【００１０】
実施の形態１．
＜炊飯器１の構成＞
図１は、本発明の実施の形態１に係る炊飯器１を示す斜視図である。図２は、本発明の実施の形態１に係る炊飯器１を示す縦断面図である。図１及び図２に示すように、炊飯器１は、たとえば電磁誘導加熱式調理器であり、本体２と、蓋体３と、加熱手段４と、内釜５と、照明手段６と、を有する。
【００１１】
本体２は、上面の開口２１された有底円筒状である。本体２には、内部に中空部２２が形成されている。蓋体３は、本体２の上面に開閉自在に取り付けられ、本体２の開口２１を塞ぐ。加熱手段４は、本体２の中空部２２の底面に設けられ、内釜５の底面に沿う形状である。加熱手段４は、たとえば加熱コイルであり、内釜５に渦電流を誘起して内釜５を加熱する。なお、加熱手段４は、平坦でもよい。内釜５は、本体２の中空部２２に着脱自在に収納され、内部に被加熱物であるお米と水とを収容する。
【００１２】
＜照明手段６＞
照明手段６は、ＬＥＤなどの発光素子で構成され、本体２の下方を照明する。具体的には、照明手段６は、本体２の外周に沿った本体２の下方の領域を照明する。照明手段６は、本体２の下部における前面に１箇所だけ配置されている。これにより、照明手段６は、本体２の正面を基準に本体２の外周に沿った本体２の下方の領域を照明する。なお、照明手段６は、複数設けられても良い。
【００１３】
＜炊飯器１のハードウェア構成＞
図３は、本発明の実施の形態１に係る炊飯器１を示すハードウェア構成を示す図である。図４は、本発明の実施の形態１に係る制御手段９を示すブロック図である。図３に示すように、炊飯器１は、入力手段７と、表示手段８と、制御手段９と、を有する。
【００１４】
入力手段７は、複数のキーなどによって構成されている。入力手段７は、炊飯に関する情報を制御手段９に入力する。表示手段８は、たとえばＬＣＤあるいはＬＥＤなどによって構成されている。表示手段８は、蓋体３の天面に設けられている。表示手段８は、炊飯に関する情報を表示する。
【００１５】
＜制御手段９＞
図４に示すように、制御手段９は、ＣＰＵ、ＲＯＭ及びＲＡＭなどのメモリ並びにＩ／Ｏポートなどの入出力装置を備えたマイコンを有した処理回路である。制御手段９は、入力手段７からの入力によって炊飯するお米の種類あるいは炊飯メニューの設定を行い、その炊飯に関する設定内容などの情報を表示手段８に表示する。制御手段９は、入力手段７からの炊飯開始指示の入力を受付けると、加熱手段４を介して内釜５を加熱して炊飯を行う。照明手段６は、制御手段９の指示により予め定められた条件に従って炊飯器１の本体２の下方を照明する。
【００１６】
＜炊飯器１の照明動作＞
図５は、本発明の実施の形態１に係る炊飯器１の照明動作を示す斜視図である。図５に示すように、予め定められた条件に従って照明手段６からの照明が行われると、図中に示される本体２の下方の斜線部の照明範囲３０が照明される。斜線部の照明範囲３０は、本体２が載置された載置面上の範囲である。照明手段６が本体２の正面を基準に本体２の外周に沿った本体２の下方の領域を照明することから、斜線部の照明範囲３０が本体２の正面を基準に本体２の外周に沿った本体２の正面側の下方の領域に形成される。
【００１７】
以上のように、照明手段６が予め定められた条件に従って本体２の下方を照明するので、かまどの炎などの美味しいイメージが演出でき、ふっくらと美味しいご飯が炊ける炊飯器１であることが訴求できる。
【００１８】
＜実施の形態１の効果＞
実施の形態１によれば、炊飯器１は、内部に中空部２２が形成された本体２を備える。炊飯器１は、本体２の中空部２２に着脱自在に収納され、内部に被加熱物を収容する内釜５を備える。炊飯器１は、内釜５を加熱する加熱手段４を備える。炊飯器１は、本体２の下方を照明する照明手段６を備える。
【００１９】
この構成によれば、照明手段６が本体２の下方にかまどの炎のような光を照明できる。したがって、かまどの炎のような美味しいイメージが照明によって演出され、ふっくらと美味しいご飯の炊けることが使用者に想起される新たな訴求方法が創出される。
【００２０】
実施の形態１によれば、照明手段６は、本体２の外周に沿った本体２の下方の領域を照明する。
【００２１】
この構成によれば、照明手段６が本体２の外周に沿った本体２の下方の領域にかまどの炎により近い光を照明できる。
【００２２】
実施の形態１によれば、照明手段６は、本体２の正面を基準に本体２の外周に沿った本体２の下方の領域を照明する。
【００２３】
この構成によれば、照明手段６が本体２の正面を基準に本体２の外周に沿った本体２の下方の領域にかまどの炎により近い光を照明できる。これにより、炊飯器１を本体２の正面から見ることの多い使用者に対し、かまどの炎のような美味しいイメージが照明によって演出され、ふっくらと美味しいご飯の炊けることが使用者に想起される新たな訴求方法が創出される。特に、キッチンにて炊飯器１が収納棚などに収納され、使用者が炊飯器１を正面側からしかほとんど見ない場合に有効である。また、正面側だけが照明され、他の部分での照明が無いので、消費電力の節約にもなる。
【００２４】
実施の形態１によれば、照明手段６は、予め定められた条件に従って本体２の下方を照明する。
【００２５】
この構成によれば、予め定められた条件に従ってかまどの炎のような美味しいイメージが照明によって演出され、ふっくらと美味しいご飯の炊けることが使用者に想起される新たな訴求方法が創出される。
【００２６】
実施の形態２．
図６は、本発明の実施の形態２に係る炊飯器１の照明動作を示すパターン図である。図７は、本発明の実施の形態２に係る炊飯器１の照明動作を示すパターン図である。図８は、本発明の実施の形態２に係る炊飯器１の照明動作を示すパターン図である。実施の形態２では、上記実施の形態と同様な事項の説明を省略し、その特徴部分のみ説明する。
【００２７】
図６に示す照明動作のパターンは、炊飯時のものである。図７に示す照明動作のパターンは、保温時のものである。図８に示す照明動作のパターンは、予約時のものである。ここでは、照明手段６が各モードに応じた予め定めた条件に従って照明を実施する。
【００２８】
＜炊飯モード＞
図６において、上部に示された曲線は、炊飯時の内釜５の底面温度を表した温度曲線である。下部に示された３つのパターン図は、照明手段６の発光パターンあるいは照明手段６の照度の強弱を表すものである。図６の下部に示された３つのパターン部は、それぞれ異なるとともに、図７及び図８のそれぞれのパターン図とも異なっている。すなわち、照明手段６は、炊飯モード、保温モード又は予約モードのモード毎に発光パターンを変更する。特に、照明手段６は、炊飯モードにおける予熱工程、炊飯工程又はむらし工程の工程順の遷移に従って、発光パターンを変更する。
【００２９】
図６の上部の温度曲線において、炊飯時の動作を説明する。炊飯が開始されると、内釜５の底面温度を一定に保ちながら所定時間が経過するのを待つ。これを予熱工程と呼び、米に水分を充分に吸収させることが目的である。次に炊飯工程に移行する。炊飯工程では、強火で加熱することによって内釜５内の被炊飯物である米と水との温度を一気に上昇させて沸騰させる。その後、沸騰状態を維持し、内釜５内の水分が蒸発して無くなると、内釜５の底面温度が急激に上昇し始めるので、所定の底面温度で炊飯工程を終了させる。この温度をドライアップ温度とも呼ぶ。次にむらし工程に移行する。むらし工程では、内釜５内のご飯の温度が低下しないように内釜５を適宜加熱しながら所定時間が経過するのを待つ。この加熱のことを一般的には２度炊きと呼ぶ。この時点で、炊飯開始時に収容された米は水分と加熱とにより糊化であるα化し、ご飯が炊きあがる。そして、むらし工程が終了すると、ご飯を温度一定に保つ保温工程へと移行する。
【００３０】
先ず、図６の下部の３つのパターン図のうち、上段のパターン（ａ）について説明する。パターン（ａ）において、照明手段６は縦軸の「ＯＮ」のレベルでは照明を行い、縦軸の「ＯＦＦ」のレベルでは照明を停止する。つまり、「ＯＮ」か「ＯＦＦ」のどちらかの状態にあるように制御される。ここでは、たとえば、照明手段６を３０秒間ＯＮさせ、３０秒間ＯＦＦさせるように制御している。また、炊飯の開始から終了まで同じ発光パターンを継続している。
【００３１】
照明手段６をパターン（ａ）の発光パターンで制御した場合、炊飯時の特定の発光パターンで照明することにより、本来の目的である、かまどの炎などの美味しいイメージが演出でき、ふっくらと美味しいご飯が炊ける炊飯器１であることが訴求できるとともに、現在が炊飯中であるということも認識できる。
【００３２】
次に中段のパターン（ｂ）について説明する。パターン（ｂ）において、予熱工程の発光パターンは、パターン（ａ）と同様である。炊飯工程においては、予熱工程よりＯＮの割合を大きくして、たとえば、１０５秒間ＯＮして、４５秒間ＯＦＦさせるように制御する。次のむらし工程では、予熱工程よりＯＮの幅を小さくして、１０秒間ＯＮさせ、１０秒間ＯＦＦするように制御する。パターン（ｂ）がパターン（ａ）と異なるのは、パターン（ａ）が炊飯の開始から終了まで同じ発光パターンを継続していたのに対して、パターン（ｂ）では、予熱工程及び炊飯工程、むらし工程のそれぞれで異なる発光パターンで制御されている点である。
【００３３】
照明手段６をパターン（ｂ）の発光パターンで制御した場合には、パターン（ａ）と同様の効果を奏するとともに、炊飯のどの工程を実行中かを認識できる。さらに、炊飯工程の強火を連想させるような発光パターンで構成することにより、より大火力で炊飯しているような美味しさの訴求が容易になる。
【００３４】
次に下段のパターン（ｃ）について説明する。パターン（ｃ）において、これまでのパターン（ａ）又はパターン（ｂ）と縦軸の照明レベルの扱いが異なっている。パターン（ｃ）では、照明手段６は照明のレベル、つまりは照度を連続的に変化させている。パターン（ａ）又はパターン（ｂ）の「ＯＮ」のレベルを最高レベルとして「強」で表している。一方、パターン（ａ）やパターン（ｂ）の「ＯＦＦ」のレベルは同じ扱いで、照明を停止させるレベルである。この「強」から「ＯＦＦ」の範囲を連続的に変化させることによって、炎又はかまどなどをイメージするような、「ゆらゆら」又は「ちらちら」といった発光パターンが構成できる。ここでは、パターン（ｂ）と同様に、炊飯の工程毎に発光パターンを変えている。しかし、パターン（ａ）のように炊飯開始から終了まで同じ発光パターンとしても良い。
【００３５】
照明手段６をパターン（ｃ）の発光パターンで制御した場合には、パターン（ａ）及びパターン（ｂ）と同様の効果を奏するとともに、炎又はかまどなどをイメージするような、「ゆらゆら」又は「ちらちら」といった発光パターンが構成できるので、美味しいご飯の炊けることがより強く訴求できる。
【００３６】
＜保温モード＞
図７において、上部に記された曲線は、保温時の内釜５の底面温度を表した温度曲線である。下部に記された２つのパターン図は、照明手段６の発光パターンを表すものである。
【００３７】
上部の温度曲線において、保温時の動作を説明する。炊飯が終了し保温が開始されると、内釜５の底面温度が保温温度まで低下して保温温度に達すると、加熱手段４を制御しながら内釜５の底面温度が保温温度に一定に保たれ、間接的に内釜５内のご飯の温度が一定に保たれる。
【００３８】
先ず、図７の下部の２つのパターン図のうち、上段のパターン（ａ）について説明する。パターン（ａ）において、照明手段６は縦軸の「ＯＮ」のレベルでは照明を行い、縦軸の「ＯＦＦ」のレベルでは照明を停止する。つまり、照明が「ＯＮ」か「ＯＦＦ」のどちらかの状態にあるように制御される。ここでは、たとえば、照明手段６を２分間ＯＮさせ、２８分間ＯＦＦさせるように制御している。図６の炊飯時の時間軸に比べ、図７の保温時の時間軸は長いスパンで設定されている。また、保温の開始から終了まで同じ発光パターンを継続している。
【００３９】
照明手段６をパターン（ａ）の発光パターンで制御した場合には、照明手段６が保温時の特定の発光パターンで照明することにより、本来の目的である、かまどの炎などの美味しいイメージが演出でき、ふっくらと美味しいご飯の炊ける炊飯器１であることが訴求できるとともに、現在が保温中であるということも認識できる。
【００４０】
次に下段のパターン（ｂ）について説明する。パターン（ｂ）において、内釜５の底面温度が保温温度にまで低下していない保温工程の初期段階では、照明手段６の照明がＯＦＦを継続している。内釜５の底面温度が保温温度に達して保温温度に保つように加熱手段４の制御を始めると、照明手段６が２分間ＯＮし、２８分間ＯＦＦするパターンを繰り返す。その後、入力手段７に設けられた取消キーを操作して保温工程を終了するまで、この発光パターンを継続する。
【００４１】
パターン（ｂ）がパターン（ａ）と異なるのは、パターン（ａ）が保温の開始から終了まで同じ発光パターンを継続していたのに対して、パターン（ｂ）においては、保温工程の初期の内釜５の底面温度の低下中と、内釜５の底面温度が保温温度に達して一定温度に制御されている一定工程と、でそれぞれ異なる発光パターンで制御されている点である。
【００４２】
照明手段６をパターン（ｂ）の発光パターンで制御した場合には、パターン（ａ）と同様の効果を奏するとともに、保温のどの工程を実行中かを認識できる。
【００４３】
なお、図６のパターン（ｃ）に示されるように、保温中も、照明手段６は照明のレベル、つまりは照度を連続的に変化させるように構成しても良い。この場合、照度を「強」から「ＯＦＦ」の範囲で連続的に変化させることによって、炎又はかまどなどをイメージするような、「ゆらゆら」又は「ちらちら」といった発光パターンが構成できる。また、図７のパターン（ａ）のように保温開始から終了まで同じ制御としても良いし、パターン（ｂ）と同様に保温の工程毎によって発光パターンを変えても良い。
【００４４】
照明手段６は照明のレベル、つまり照度を連続的に変化させるように構成した場合には、パターン（ａ）及びパターン（ｂ）と同様の効果を奏するとともに、炎又はかまどなどをイメージするような、「ゆらゆら」又は「ちらちら」といった発光パターンが構成できるので、美味しいご飯の炊けることがより強く訴求できる。
【００４５】
＜予約モード＞
図８に示す発光パターンは、図６あるいは図７の下側に示されていた照明手段６の発光パターンと同様のものであり、ここでは予約工程の照明手段６の動作を表す。
【００４６】
入力手段７に設けられた予約キー又はメニューキーなどを操作することによって、予約時刻と予約メニューとを設定し、最後に炊飯キーを入力して予約炊飯を確定させ、予約待機モードへと移行される。予約待機モードでは、予約メニューによって設定される炊飯開始時刻になるまで予約待機状態を継続し、炊飯開始時刻になると予約炊飯を開始する。
【００４７】
この予約待機モードにおいて、図８に示される発光パターンで照明手段６が制御される。たとえば、照明は、２分間ＯＮし、２分間ＯＦＦし、再度２分間ＯＮすると、その後２４分間ＯＦＦを継続する。これを１サイクルとして、予約工程が継続している間、このサイクルを繰り返す。
【００４８】
＜その他＞
なお、照明手段６の予め定められた条件は、発光パターンではなく、炊飯モード、保温モード又は予約モードのモード毎に発光色を変更することでも良い。また、照明手段６は、炊飯モードにおける予熱工程、炊飯工程又はむらし工程の工程順の遷移に従って、発光色を変更しても良い。
【００４９】
＜実施の形態２の効果＞
実施の形態２によれば、照明手段６の予め定められた条件は、炊飯モード、保温モード又は予約モードのモード毎に発光パターンを変更することである。
【００５０】
この構成によれば、本来の目的である、かまどの炎などの美味しいイメージが演出でき、ふっくらと美味しいご飯の炊ける炊飯器１であることが訴求できるとともに、使用者が炊飯器１の現在のモードがどのようなモードであるかいうことを認識できる。
【００５１】
実施の形態２によれば、照明手段６の予め定められた条件は、炊飯モード、保温モード又は予約モードのモード毎に発光色を変更することである。
【００５２】
この構成によれば、本来の目的である、かまどの炎などの美味しいイメージが演出でき、ふっくらと美味しいご飯の炊ける炊飯器１であることが訴求できるとともに、使用者が炊飯器１の現在のモードがどのようなモードであるかいうことを認識できる。
【００５３】
実施の形態２によれば、照明手段６の予め定められた条件は、炊飯モードにおける予熱工程、炊飯工程又はむらし工程の工程順の遷移に従って、発光色あるいは発光パターンを変更することである。
【００５４】
この構成によれば、炎又はかまどなどをイメージするような、「ゆらゆら」又は「ちらちら」といった発光色あるいは発光パターンに変更でき、美味しいご飯の炊けることがより強く訴求できる。
【００５５】
実施の形態３．
図９は、本発明の実施の形態３に係る炊飯器１の照明動作を示す平面投影図である。実施の形態３では、上記実施の形態と同様な事項の説明を省略し、その特徴部分のみ説明する。
【００５６】
図９に示すように、入力手段７には、炊飯するお米の種類又はメニューを設定するお米キー又はメニューキー、炊飯動作の開始指示を行う炊飯キーなどが配置されている。本体２の周囲に斜線で示された範囲は、照明手段６による照明範囲３１で、本体２が載置された載置面上の範囲である。実施の形態３では、照明手段６は、複数設けられている。ここでは、照明手段６は、正面、左右側面及び背面のそれぞれに合計４つ設けられている。なお、複数の照明手段６の数に制限はない。複数の照明手段６は、本体２の胴回りに間隔を空けて配置され、本体２の外周を全体にわたって本体２の外周に沿った本体２の下方の領域を照明する。
【００５７】
照明手段６が照明する照明範囲３１は、本体２の平面投影形状を基準に本体２から離れる方向に所定の範囲内である。具体的には、照明範囲３１は、本体２の平面投影形状を基準に本体２から離れる方向に５０ｍｍの範囲である。
【００５８】
このように照明範囲３１を予め設定された範囲に限定することにより、実施の形態１と同様の効果を奏することに加えて、本体２の周囲の広い範囲が照明されてしまって、使用者が火事などと誤認したり、就寝時に明かりが気になって就寝の妨げになったりしない。
【００５９】
＜実施の形態３の効果＞
実施の形態３によれば、照明手段６が照明する照明範囲３１は、本体２の平面投影形状を基準に本体２から離れる方向に所定の範囲内である。
【００６０】
この構成によれば、本体２の周囲の広い範囲が照明されることによる、使用者が火事などと誤認したり、就寝時に明かりが気になって就寝の妨げになったりしない。
【００６１】
実施の形態３によれば、所定の範囲は、本体２の平面投影形状を基準に本体２から離れる方向に５０ｍｍである。
【００６２】
この構成によれば、照明される範囲が本体２の周囲に限定でき、本体２の周囲の広い範囲が照明されることによる、使用者が火事などと誤認したり、就寝時に明かりが気になって就寝の妨げになったりしない。
【００６３】
実施の形態３によれば、複数の照明手段６は、間隔を空けて配置され、本体２の外周を全体にわたって本体２の外周に沿った本体２の下方の領域を照明する。
【００６４】
この構成によれば、複数の照明手段６が本体２の外周を全体にわたって本体２の外周に沿った本体２の下方の領域にかまどの炎により近い光を照明できる。これにより、炊飯器１を使用者が本体２のどの方向から見ても、かまどの炎のような美味しいイメージが照明によって演出され、ふっくらと美味しいご飯の炊けることが使用者に想起される新たな訴求方法が創出される。
【００６５】
実施の形態４．
図１０は、本発明の実施の形態４に係る炊飯器１の照明動作を示すパターン図である。実施の形態４では、上記実施の形態と同様な事項の説明を省略し、その特徴部分のみ説明する。
【００６６】
図１０において、上部に記された曲線は、炊飯時の内釜５の底面温度を表した温度曲線である。下部に記された３つのパターン図は、照明手段６の発光パターンを表し、照明手段６の照度の強弱を表すものである。つまり、照明手段６が照明する照度は、変更自在である。
【００６７】
上部の温度曲線は、上記実施の形態２の図６と同様であるので説明は省略する。
【００６８】
先ず、図１０の下部の３つのパターン図の内、上段のパターン（ａ）について説明する。パターン（ａ）において、照明のレベルの最高レベルを「強」で表し、照明を停止させるレベルを「ＯＦＦ」で表している。パターン（ａ）の場合は、最高レベルの「強」と、照明を停止させるレベルの「ＯＦＦ」のどちらかに制御されているので、上記実施の形態２の図６のパターン（ａ）と同様の動作となる。
【００６９】
次に中段のパターン（ｂ）及び下段のパターン（ｃ）について説明する。パターン（ｂ）がパターン（ａ）と異なるのは、照明手段６の照明の最も大きいレベルが低く設定されている点である。つまりは、照明手段６がＯＮしている時の明るさがパターン（ａ）に比較して暗く設定されている。更には、パターン（ｃ）がパターン（ｂ）と異なるのは、照明手段６の照明の最も大きいレベルが更に低く設定されている点であり、照明手段６がＯＮしている時の明るさはパターン（ｂ）に比較して更に暗く設定されている。
【００７０】
照明手段６の照明のレベルを変更可能とすることにより、炊飯器１の使用者の使用実態に合わせた照明手段６の照度が設定でき、より使い勝手が向上する。たとえば、夜間のように周辺の明るさが暗い場合には、照明手段６の照度を下げる。また、周辺の明るさが明るい場合には、照度を上げて照明する。このように照明手段６の明るさの差異を使用者が分かり易くできる。なお、照明手段６の照明のレベルの変更の方法については、入力手段７のキー入力による設定でも良い。また、制御手段９で現在時刻が計時される場合には、炊飯器１の周囲が明るい時間帯と暗い時間帯とを判断して変更するように構成しても良い。このように照明手段６の照明のレベルの変更の方法については、ここでの説明の範囲に限定されるものではない。
【００７１】
＜実施の形態４の効果＞
実施の形態４によれば、照明手段６が照明する照度は、変更自在である。
【００７２】
この構成によれば、炊飯器１の使用者の使用実態に合わせた照明手段６の照度が設定でき、より使い勝手が向上する。
【００７３】
実施の形態５．
図１１は、本発明の実施の形態５に係る炊飯器１のハードウェア構成を示す図である。図１２は、本発明の実施の形態５に係る炊飯器１の照明動作を示すフローチャートである。実施の形態５では、上記実施の形態と同様な事項の説明を省略し、その特徴部分のみ説明する。
【００７４】
図１１に示すように、炊飯器１は、本体２の周囲の明るさを検出する照度センサ１０を備える。そして、図１２に示すように、照明手段６が照明する照度は、照度センサ１０の検出する本体２の周囲の明るさに応じて変更される。なお、炊飯器１は、本体２の周囲の明るさを照度センサ１０以外の手法によって検出するものでも良い。以下では、照明手段６の照度が「強」、「中」及び「弱」の３つに制御される例を説明する。
【００７５】
図１２において、先ず本体２の周囲の明るさを電気的に測定することができる照度センサ１０を用いて本体２の周辺の明るさを測定する（Ｓ１０１）。次に、Ｓ１０２において、測定された明るさを基準値Ａと比較する。測定された明るさが基準値Ａ以上と判定された場合には、周囲の明るさは明るいと判断されてＳ１０３へ移行する。ここで、測定された明るさは照度（ルクス）で表され、明るい程測定値は大きい。また、測定された明るさと比較される基準値Ａは、照度（ルクス）を幾つかのランクに区分するために予め設定された値である。Ｓ１０３では、照明手段６の照度が「強」に設定される。
【００７６】
続いて、Ｓ１０２で比較された明るさが基準値Ａより小さくてＡより暗いと判定された場合には、Ｓ１０４へ移行して、測定された明るさと基準値Ｂが比較される。Ｓ１０４において、比較された明るさが基準値Ｂ以上と判定された場合には、Ｓ１０５へ移行して照明手段６の照度を「中」に設定する。この時、基準値Ｂは基準値Ａより低い値に設定される。Ｓ１０４において、比較された明るさが基準値Ｂ未満と判定された場合には、Ｓ１０６において、周囲の明るさは暗いと判断されて、照明手段６の照度は「弱」に設定される（Ｓ１０７）。
【００７７】
このように、それぞれの照度で設定された照明手段６は、上記実施の形態４の図１０に示されるパターン（ａ）からパターン（ｃ）のように制御される。Ｓ１０３で照度「強」と設定された時はパターン（ａ）、Ｓ１０５で照度「中」と設定された時はパターン（ｂ）、Ｓ１０７で照度「弱」と設定された時はパターン（ｃ）でそれぞれ制御される。
【００７８】
このように照度センサ１０によって本体２の周囲の明るさを測定し、その明るさを判断して照明手段６の照度を設定するので、使用者が手動で操作して設定する煩わしさがなく、周囲の明るさに応じて自動的に照度が設定され、非常に使い勝手が向上する。
【００７９】
＜実施の形態５の効果＞
実施の形態５によれば、炊飯器１は、本体２の周囲の明るさを検出する照度センサ１０を備える。照明手段６が照明する照度は、照度センサ１０の検出する本体２の周囲の明るさに応じて変更される。
【００８０】
この構成によれば、使用者が手動で操作して照明手段６の照度を設定する煩わしさがなく、周囲の明るさに応じて自動的に照明手段６の照度が設定でき、非常に使い勝手が向上する。
【００８１】
実施の形態６．
図１３は、本発明の実施の形態６に係る炊飯器１の照明動作を示す平面投影図である。実施の形態６では、上記実施の形態と同様な事項の説明を省略し、その特徴部分のみ説明する。
【００８２】
図１３において、本体２の周囲に斜線で示される照明範囲３２ａ、３２ｂ、３２ｃ及び３２ｄは、上記実施の形態３の図９に示される照明範囲３１と同様である。すなわち、照明手段６は、複数設けられ、且つ、個別に制御自在である。このため、図１３では、図９に示される照明範囲３１を、略円形をなす蓋体３の天面の中心角を９０°毎に分割した、４つの範囲に分割している。分割された４つの範囲をそれぞれ領域Ａ（３２ａ）、領域Ｂ（３２ｂ）、領域Ｃ（３２ｃ）、領域Ｄ（３２ｄ）と定義する。４つの領域は、それぞれ個別に照明手段６の照明の発光パターンを切り替えられる。すなわち、複数の照明手段６は、複数の照明手段６のうちいずれを制御するか任意に選択自在である。たとえば、炊飯時には本体２の正面に位置する領域Ａ（３２ａ）が照明され、保温時には本体２の両側面に位置する領域Ｂ（３２ｂ）及び領域Ｄ（３２ｄ）が照明される。
【００８３】
＜その他＞
その他に、周囲の明るさが明るい時には領域Ａ（３２ａ）が照明され、周囲の明るさが暗い時には領域Ｂ（３２ｂ）及び領域Ｄ（３２ｄ）が照明される構成としても良い。また、同時に照明される領域は１箇所、あるいは、２箇所に限られることなく、３箇所でも、４箇所でも良い。
【００８４】
このように、複数の照明手段６の照明範囲３２ａ、３２ｂ、３２ｃ及び３２ｄを分割することにより、炊飯器１の使用者の使用実態に合わせた照明範囲３２ａ、３２ｂ、３２ｃ及び３２ｄが設定でき、より使い勝手が向上する。
【００８５】
＜実施の形態６の効果＞
実施の形態６によれば、照明手段６は、複数設けられ、且つ、個別に制御自在である。複数の照明手段６は、複数の照明手段６のうちいずれを制御するか任意に選択自在である。
【００８６】
この構成によれば、複数の照明手段６の照明範囲３２ａ、３２ｂ、３２ｃ及び３２ｄが分割され、使用者の使用実態に合わせた複数の照明手段６の照明範囲３２ａ、３２ｂ、３２ｃ及び３２ｄが設定でき、より使い勝手が向上する。
【００８７】
実施の形態７．
図１４は、本発明の実施の形態７に係る炊飯器１の照明動作を示すフローチャートである。実施の形態７では、上記実施の形態と同様な事項の説明を省略し、その特徴部分のみ説明する。
【００８８】
照明手段６は、入力手段７の入力に応じて制御される。図１４において、先ずＳ２０１において、入力手段７に設けられたキーの入力を判定する。Ｓ２０１において、キー入力有りと判定された場合にはＳ２０２へ移行する。一方、Ｓ２０１において、キー入力有りではないキー入力無しであると判定された場合には、キー入力の判定を繰り返す。Ｓ２０１でキー入力有りと判定された場合、Ｓ２０２においてタイマｔをスタートさせ、Ｓ２０３において照明手段６の照明をＯＮさせる。次に、Ｓ２０４において、タイマｔが６０秒経過したかどうかを判定する。そして、Ｓ２０４でタイマｔが６０秒経過したと判定された場合には、Ｓ２０５に移行して照明手段６をＯＦＦして終了する。Ｓ２０４でタイマｔが６０秒経過していないと判定された場合には、Ｓ２０３に戻って、照明手段６の照明のＯＮを継続する。つまり、入力手段７のキー入力が有るたびに、照明手段６の照明が６０秒間継続してＯＮされる。
【００８９】
これにより、使用者の操作によるキー入力に連動して照明手段６が照明されるので、炊飯器１を使用する使用者へ、操作する楽しさと美味しいご飯の炊ける炊飯器１であることとが訴求できる。
【００９０】
＜実施の形態７の効果＞
実施の形態７によれば、炊飯器１は、炊飯に関する情報を入力する入力手段７を備える。照明手段６は、入力手段７の入力に応じて制御される。
【００９１】
この構成によれば、炊飯器１を使用する使用者に対し、操作する楽しさと美味しいご飯の炊ける炊飯器１であることとが訴求できる。
【００９２】
実施の形態８．
図１５は、本発明の実施の形態８に係る炊飯器１の照明動作を示す斜視図である。実施の形態８では、上記実施の形態と同様な事項の説明を省略し、その特徴部分のみ説明する。
【００９３】
図１５に示すように、炊飯器１は、本体２と組み合わせて供給され、本体２と本体２が載置される載置面との間に敷く敷部材２０を備える。敷部材２０は、シート状あるいは板状である。敷部材２０における本体２の載置される表面の材料は、光の反射を抑制した材料で構成されている。
【００９４】
これにより、本体２と本体２が載置される載置面との間に敷いて用いられる敷部材２０の材料は、光の反射を抑制した材料であるので、上記実施の形態３と同様の効果を奏することは勿論であるが、その効果をより顕著なものにできる。
【００９５】
＜実施の形態８の効果＞
実施の形態８によれば、炊飯器１は、本体２と組み合わせて供給され、本体２と本体２が載置される載置面との間に敷く敷部材２０を備える。敷部材２０における本体２の載置される表面の材料は、光の反射を抑制した材料で構成されている。
【００９６】
この構成によれば、本体２の周囲の広い範囲が照明されることによる、使用者が火事などと誤認したり、就寝時に明かりが気になって就寝の妨げになったりしない効果がより顕著にできる。
【００９７】
実施の形態９．
実施の形態９では、上記実施の形態と同様な事項の説明を省略し、その特徴部分のみ説明する。
【００９８】
炊飯器１では、敷部材２０における本体２の載置される表裏面の材料は、一方の面が光の反射を抑制した材料で構成され、他方の面が光を反射する材料で構成されている。
【００９９】
このような敷部材２０であると、光の反射を抑制した面を使用した場合には、上記実施の形態３と同様の効果を奏することは勿論であるが、その効果をより顕著なものにできる。一方、光を反射する材料で構成された面を使用した場合には、本体２の周辺をぼんやり明るくするなどの、いわゆる間接照明のような視覚的効果が得られる。
【０１００】
＜実施の形態９の効果＞
実施の形態９によれば、炊飯器１は、本体２と組み合わせて供給され、本体２と本体２が載置される載置面との間に敷く敷部材２０を備える。敷部材２０における本体２の載置される表裏面の材料は、一方の面が光の反射を抑制した材料で構成され、他方の面が光を反射する材料で構成されている。
【０１０１】
この構成によれば、敷部材２０における本体２の載置される表裏面の材料のうち一方の面が光の反射を抑制した材料で構成される。これにより、本体２の周囲の広い範囲が照明されることによる、使用者が火事などと誤認したり、就寝時に明かりが気になって就寝の妨げになったりしない効果がより顕著にできる。一方、敷部材２０における本体２の載置される表裏面の材料のうち他方の面が光を反射する材料で構成される。これにより、本体２の周辺をぼんやり明るくするなどの、いわゆる間接照明のような視覚的効果が得られる。
【０１０２】
実施の形態１０．
実施の形態１０では、上記実施の形態と同様な事項の説明を省略し、その特徴部分のみ説明する。
【０１０３】
炊飯器１では、照明手段６の発光色は、少なくとも波長５９０〜７８０ｎｍの範囲を含んで構成されている。この波長の発光色は、おおよそ橙色であり、いわゆる暖色系と呼ばれる暖かみの有る色であり、かまどの炎などを容易に連想させる発光色である。
【０１０４】
これにより、かまどの炎などを容易に連想させる発光色で照明が行われ、ふっくらと美味しいご飯の炊ける炊飯器１であることが強く印象付けられ、訴求の効果が充分に発揮できる。
【０１０５】
＜実施の形態１０の効果＞
実施の形態１０によれば、照明手段６の発光色は、少なくとも波長５９０〜７８０ｎｍの範囲を含む。
【０１０６】
この構成によれば、かまどの炎などを容易に連想させる発光色で照明手段６が照明するので、ふっくらと美味しいご飯の炊ける炊飯器１であることが使用者に強く印象付けられ、訴求の効果が充分に発揮できる。
【０１０７】
実施の形態１１．
実施の形態１１では、上記実施の形態と同様な事項の説明を省略し、その特徴部分のみ説明する。
【０１０８】
炊飯器１では、照明手段６が点灯する際に、表示手段８の表示素子である発光素子の照度が低減されるか、あるいは、消灯される構成である。たとえば、予め定められた条件に従って照明手段６を点灯する時に、表示手段８の表示素子であるＬＥＤが同時に点灯していると、周囲を照明できる程の照度ではないものの、発光源が照明手段６と表示手段８という複数存在する。このために、照明手段６での照明の視覚的な効果が妨げられる懸念がある。また、表示手段８の表示素子であるＬＥＤは、炊飯中であることを示す炊飯表示用ＬＥＤは赤色、保温中であることを示す保温表示用ＬＥＤは黄色あるいは橙色、予約中であることを示す予約表示用ＬＥＤは緑色とされるのが一般的である。この場合も表示手段８の発光色の違いにより、照明手段６での照明の視覚的な効果が妨げられる懸念がある。
【０１０９】
これにより、照明手段６からの照明の効果を妨げる要素である表示手段８の表示素子からの発光を低減、あるいは、消灯するので、本来の目的である、かまどの炎などの美味しいイメージが演出でき、ふっくらと美味しいご飯の炊ける炊飯器１であることの訴求がより効果的に実現できる。
【０１１０】
＜実施の形態１１の効果＞
実施の形態１１によれば、炊飯器１は、炊飯に関する情報を表示する表示手段８を備える。照明手段６が点灯する際に、表示手段８の照度を低減又は消灯する。
【０１１１】
この構成によれば、照明手段６からの照明の効果を妨げる要素である表示手段８の表示素子からの発光が低減又は消灯される。これにより、本来の目的である、かまどの炎などの美味しいイメージが演出でき、ふっくらと美味しいご飯の炊ける炊飯器１であることがより効果的に訴求できる。
【０１１２】
＜その他＞
本発明は、照明手段６の照明によって美味しいイメージを演出し、ふっくらと美味しいご飯の炊けることを使用者に想起させ、使用者に新たな訴求方法が創出できるので、有用である。
【符号の説明】
【０１１３】
１  炊飯器、２  本体、３  蓋体、４  加熱手段、５  内釜、６  照明手段、７  入力手段、８  表示手段、９  制御手段、１０  照度センサ、２０  敷部材、２１  開口、２２  中空部、３０、３１、３２ａ、３２ｂ、３２ｃ、３２ｄ  照明範囲。
【図１】
2020031965.tif 000003
【図２】
2020031965.tif 000004
【図３】
2020031965.tif 000005
【図４】
2020031965.tif 000006
【図５】
2020031965.tif 000007
【図６】
2020031965.tif 000008
【図７】
2020031965.tif 000009
【図８】
2020031965.tif 000010
【図９】
2020031965.tif 000011
【図１０】
2020031965.tif 000012
【図１１】
2020031965.tif 000013
【図１２】
2020031965.tif 000014
【図１３】
2020031965.tif 000015
【図１４】
2020031965.tif 000016
【図１５】
2020031965.tif 000017